【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
複数の動作モードの何れかに設定する設定手段と、
前記設定手段で設定された動作モードによって少なくとも一部が異なるメニュー項目よりなるメニューを表示する表示制御手段と、
前記設定手段で設定される第１の動作モードで表示されるメニューから、前記設定手段で設定される第２の動作モードで表示されるメニューに変更する場合において、前記表示制御手段が表示したメニューにおいて選択されるメニュー項目の変更操作がされていた場合は、前記第２の動作モードで表示されるメニューにおいて、前記第１の動作モードで選択していたメニュー項目に応じたメニュー項目を選択して表示し、前記表示制御手段が表示したメニューにおいて選択されるメニュー項目の変更操作がされていない場合は、前記第２の動作モードで表示されるメニューにおいて、前記第１の動作モードで選択していたメニュー項目に関わらず、所定の位置のメニュー項目を選択して表示するように制御する制御手段
とを有することを特徴とする表示制御装置。
【請求項２】
前記制御手段は、前記第１の動作モードで表示されるメニューから前記第２の動作モードで表示されるメニューに変更する場合、前記表示制御手段が表示したメニューにおいて選択されるメニュー項目の変更操作がされた後であるときに、前記第２の動作モードで表示されるメニューにおいて、前記第１の動作モードで選択していたメニュー項目と同じメニュー項目があれば当該同じメニュー項目を選択して表示するように制御することを特徴とする請求項１に記載の表示制御装置。
【請求項３】
前記制御手段は、前記第１の動作モードで表示されるメニューから前記第２の動作モードで表示されるメニューに変更する場合、前記表示制御手段が表示したメニューにおいて選択されるメニュー項目の変更操作がされる前であるときに、前記第２の動作モードで表示されるメニューにおいて先頭のメニュー項目を選択して表示するように制御することを特徴とする請求項１に記載の表示制御装置。
【請求項４】
メニュー項目の変更操作がされる前には、メニュー項目の変更操作がされる前であることを示す初期情報を記憶していることを特徴とする請求項１から３のいずか１項に記載の表示制御装置。
【請求項５】
メニューにおいて選択される項目を変更する変更操作を受け付ける操作手段と、
前記操作手段で前記変更操作を受け付けると、この変更操作によって選択されたメニュー項目を特定する情報を、このメニューを次に表示する際に最初に選択すべき項目の情報を示す初期選択情報として記録する記録手段
とを更に有することを特徴とする請求項４に記載の表示制御装置。
【請求項６】
前記制御手段は、メニューを表示していない状態からメニューを表示させる際、前記初期選択情報に記録された情報に基づいて何れかのメニュー項目を選択した状態でメニューを表示するように制御することを特徴とする請求項５に記載の表示制御装置。
【請求項７】
前記第１の動作モードで表示されるメニューから前記第２の動作モードで表示されるメニューに変更する場合、前記制御手段は、前記初期情報が記憶されているとき、変更された動作モードでのメニューにおける前記所定の位置のメニュー項目を選択して表示するように制御し、前記初期情報が記憶されていないとき、前記初期選択情報に基づくメニュー項目を選択して表示するように制御することを特徴とする請求項５または６に記載の表示制御装置。
【請求項８】
前記記録手段は、前記初期情報が記憶されていない場合であって、前記設定手段で設定された動作モードが変更されたことに応じて、動作モードの変更の後に、動作モードの変更の前に選択していたメニュー項目と異なるメニュー項目を選択したとき、該異なるメニュー項目を特定する情報を初期選択情報として記録する一方、前記初期情報が記憶されている場合であって、前記設定手段で設定された動作モードが変更されたことに応じて、動作モードの変更の後に、動作モードの変更の前に選択していたメニュー項目と異なるメニュー項目を選択したとき、該異なるメニュー項目を特定する情報を前記初期選択情報としては記録しないことを特徴とする請求項５から７の何れか１項に記載の表示制御装置。
【請求項９】
前記記録手段は、ユーザの初期化の操作に応じて、前記初期選択情報を初期化し、前記初期情報を記録することを特徴とする請求項５から８の何れか１項に記載の表示制御装置。
【請求項１０】
前記表示制御手段は、前記設定手段で設定される同じ動作モードにおいて複数の異なるメニューを表示でき、前記初期情報は前記複数の異なるメニューごとに記憶され、前記記録手段は前記初期選択情報を前記複数のメニューごとに記録することを特徴とする請求項５から９のいずれか１項に記載の表示制御装置。
【請求項１１】
前記表示制御装置は撮像手段を有する撮像装置であり、
前記表示制御手段が表示するメニューは、撮像に関する設定メニューと、再生手段に関する設定メニューとの少なくとも１つを含む
ことを特徴とする１から１０のいずれか１項に記載の表示制御装置。
【請求項１２】
複数の動作モードの何れかに設定する設定ステップと、
前記設定ステップで設定された動作モードによって少なくとも一部が異なるメニュー項目よりなるメニューを表示する表示制御ステップと、
前記設定ステップで設定される第１の動作モードで表示されるメニューから、前記設定ステップで設定される第２の動作モードで表示されるメニューに変更する場合であって、前記表示制御ステップが表示したメニューにおいて選択されるメニュー項目の変更操作がされていた場合は、前記第２の動作モードで表示されるメニューにおいて、前記第１の動作モードで選択していたメニュー項目に応じたメニュー項目を選択して表示し、前記表示制御ステップが表示したメニューにおいて選択されるメニュー項目の変更操作がされていない場合は、前記第２の動作モードで表示されるメニューにおいて、前記第１の動作モードで選択していたメニュー項目に関わらず、所定の位置のメニュー項目を選択して表示するように制御する制御ステップ
とを有することを特徴とする表示制御装置の制御方法。
【請求項１３】
複数の動作モードの何れかに設定する設定手段と、
前記設定手段で設定された動作モードによって少なくとも一部が異なるメニュー項目よりなるメニューを表示する表示制御手段と、
前記表示制御手段が表示したメニューにおいて選択されるメニュー項目の変更操作があったことに応じて、該変更操作があったことが識別可能な情報を記憶する記憶手段と、
前記設定手段で設定される第１の動作モードで表示されるメニューから、前記設定手段で設定される第２の動作モードで表示されるメニューに変更する場合において、前記情報が記憶されていた場合は、前記第２の動作モードで表示されるメニューにおいて、前記第１の動作モードで選択していたメニュー項目に応じたメニュー項目を選択して表示し、前記情報が記憶されていない場合は、前記第２の動作モードで表示されるメニューにおいて、前記第１の動作モードで選択していたメニュー項目に関わらず、所定の位置のメニュー項目を選択して表示するように制御する制御手段
とを有することを特徴とする表示制御装置。
【請求項１４】
複数の動作モードの何れかに設定する設定ステップと、
前記設定ステップで設定された動作モードによって少なくとも一部が異なるメニュー項目よりなるメニューを表示する表示制御ステップと、
前記表示制御ステップで表示したメニューにおいて選択されるメニュー項目の変更操作があったことに応じて、該変更操作があったことが識別可能な情報を記憶する記憶ステップと、
前記設定ステップで設定される第１の動作モードで表示されるメニューから、前記設定ステップで設定される第２の動作モードで表示されるメニューに変更する場合において、前記情報が記憶されていた場合は、前記第２の動作モードで表示されるメニューにおいて、前記第１の動作モードで選択していたメニュー項目に応じたメニュー項目を選択して表示し、前記情報が記憶されていない場合は、前記第２の動作モードで表示されるメニューにおいて、前記第１の動作モードで選択していたメニュー項目に関わらず、所定の位置のメニュー項目を選択して表示するように制御する制御ステップ
とを有することを特徴とする表示制御装置の制御方法。
【請求項１５】
コンピュータを請求項１乃至１１、１３のいずれか１項に記載された表示制御装置の各手段として機能させるためのプログラム。
【請求項１６】
コンピュータを請求項１乃至１１、１３のいずれか１項に記載された表示制御装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
本発明に係る表示制御装置は、複数の動作モードの何れかに設定する設定手段と、前記設定手段で設定された動作モードによって少なくとも一部が異なるメニュー項目よりなるメニューを表示する表示制御手段と、前記設定手段で設定される第１の動作モードで表示されるメニューから、前記設定手段で設定される第２の動作モードで表示されるメニューに変更する場合において、前記表示制御手段が表示したメニューにおいて選択されるメニュー項目の変更操作がされていた場合は、前記第２の動作モードで表示されるメニューにおいて、前記第１の動作モードで選択していたメニュー項目に応じたメニュー項目を選択して表示し、前記表示制御手段が表示したメニューにおいて選択されるメニュー項目の変更操作がされていない場合、前記第２の動作モードで表示されるメニューにおいて、前記第１の動作モードで選択していたメニュー項目に関わらず、所定の位置のメニュー項目を選択して表示するように制御する制御手段とを有することを特徴とする。